(57)【要約】  同軸ケーブルおよびその構築方法を提供する。当該同軸ケーブルは、細長い導電性中心部材と、導電性中心部材を包み込む誘電性絶縁層と、外側保護シースと、誘電性絶縁層と外側保護シースとの間にはさまれた、ハイブリッド糸を含む編組みＥＭＩシールド層とを含む。ハイブリッド糸は、細長い非導電性フィラメントと、細長い連続的な導電性ワイヤフィラメントとを含む。ワイヤフィラメントは、ＥＭＩ、ＲＦＩまたはＥＳＤのうちの少なくとも１つから導電性中心部材を保護するために、ＥＭＩシールド層の長さに沿ってワイヤフィラメント自体または他のワイヤフィラメントと電気的に通信するように織り合わせられる。当該方法は、導電性中心部材を設けることと、導電性中心部材を取囲む誘電性絶縁層を形成することと、絶縁層の周りに、ハイブリッド糸を含むＥＭＩシールド層を編むことと、編組みＥＭＩシールド層の周りに外側保護シースを形成することとを含む。
2016503945.tif 000002
【特許請求の範囲】
【請求項１】
同軸ケーブルであって、
導電性中心部材と、
前記導電性中心部材を取囲む誘電性絶縁層と、
外側保護シースと、
前記誘電性絶縁層と前記外側保護シースとの間にはさまれた編組みＥＭＩシールド層とを備え、前記編組みＥＭＩシールド層は、ハイブリッド糸で編まれ、前記ハイブリッド糸は、少なくとも１本の非導電性フィラメントに絡ませられるかまたは少なくとも１本の非導電性フィラメントとともに提供される少なくとも１本の導電性ワイヤフィラメントを含む、同軸ケーブル。
【請求項２】
前記編組みＥＭＩシールド層は、もっぱら前記ハイブリッド糸で編まれる、請求項１に記載の同軸ケーブル。
【請求項３】
前記少なくとも１本の非導電性フィラメントは、前記編組みＥＭＩ層に対して弾性跳ね返りの向上をもたらす、請求項１に記載の同軸ケーブル。
【請求項４】
前記少なくとも１本の非導電性フィラメントは、前記編組みＥＭＩ層に対して耐衝撃性の向上をもたらす、請求項１に記載の同軸ケーブル。
【請求項５】
前記外側保護シースは、先行技術の同軸ケーブルの外側シースに対して厚みが減少している、請求項１に記載の同軸ケーブル。
【請求項６】
前記同軸ケーブルの質量は、先行技術の同軸ケーブルの質量に対して減少している、請求項１に記載の同軸ケーブル。
【請求項７】
前記少なくとも１本の非導電性フィラメントのうちの少なくとも１本は、マルチフィラメントである、請求項１に記載の同軸ケーブル。
【請求項８】
前記少なくとも１本の非導電性フィラメントのうちの少なくとも１本は、モノフィラメントである、請求項７に記載の同軸ケーブル。
【請求項９】
同軸ケーブルを構築する方法であって、
導電性部材を設けることと、
前記導電性部材の周りに絶縁層を形成することと、
前記絶縁層の周りにシールド層を編むことと、
前記シールド層の周りに外側保護シースを形成することと、
少なくとも１本の非導電性フィラメントに絡ませられるかまたは少なくとも１本の非導電性フィラメントとともに提供される少なくとも１本の導電性ワイヤフィラメントを含むハイブリッド糸から少なくとも部分的に前記シールド層を編むこととを備える、方法。
【請求項１０】
もっぱら前記ハイブリッド糸から前記シールド層を編むことをさらに含む、請求項９に記載の方法。
【請求項１１】
複数の非導電性フィラメントを有する前記ハイブリッド糸を提供することをさらに含む、請求項９に記載の方法。
【請求項１２】
前記複数の非導電性フィラメントのうちの少なくとも１本をマルチフィラメントとして提供することをさらに含む、請求項１１に記載の方法。
【請求項１３】
前記複数の非導電性フィラメントのうちの少なくとも１本をモノフィラメントとして提供することをさらに含む、請求項１２に記載の方法。
【請求項１４】
前記外側保護シースの厚みを先行技術の同軸ケーブルの外側シースに対して減少させることをさらに含む、請求項９に記載の方法。
【請求項１５】
前記同軸ケーブルの総質量を先行技術の同軸ケーブルの質量に対して減少させることをさらに含む、請求項９に記載の方法。
【発明の詳細な説明】
【技術分野】
【０００１】
関連出願との相互参照
本願は、２０１２年１２月１３日に出願された米国仮出願番号第６１／７３６，９７７号の利益を主張し、米国仮出願番号第６１／７３６，９７７号は、その全文が引用によって本明細書に援用される。
【０００２】
発明の背景
１．技術分野
本発明は、一般に細長い電気部材を保護するためのスリーブに関し、より特定的には内側絶縁層と外側シースとの間にはさまれた電磁干渉シールド層を有する同軸ケーブルに関する。
【背景技術】
【０００３】
２．関連技術
電磁干渉（electromagnetic interference：ＥＭＩ）、無線周波数干渉（radio frequency interference：ＲＦＩ）および静電気放電（electrostatic discharge：ＥＳＤ）は、近傍の導体間の誘導結合および電磁波の伝播によって引起される信号干渉により、電子部品の適切な機能に対して潜在的な問題を生じさせる可能性があることが知られている。電子システムは、電流が回路を流れた結果として電磁エネルギを発生させる。この電磁エネルギは、周囲の電子部品が回路内で直接通信していようと近傍に位置していようと、周囲の電子部品の性能に悪影響を及ぼす可能性がある。例えば、自動車における電力システムに関連付けられる導体内の電流は、電子モジュールなどのさまざまな電子部品においてスプリアス干渉信号を引起す可能性がある。このような干渉は、車両内の電子モジュールまたは他の部品の性能を低下させる恐れがあり、それによって所望の態様以外の態様で車両を機能させることになる。同様に、コンピュータネットワークまたは他の通信システムにおいてデータを搬送する線と比較的密接な関係がある電気配線間などの誘導結合は、ネットワークを介して伝送されるデータに対して破損的な影響を及ぼす可能性がある。
【発明の概要】
【発明が解決しようとする課題】
【０００４】
ＥＭＩ、ＲＦＩおよびＥＳＤの悪影響は、適切な遮蔽を与えることによって、ならびに、ＥＭＩ、ＲＦＩおよびＥＳＤに敏感な部品の接地によって、効果的に取除くことができる。例えば、内部または外部で発生したＥＭＩ、ＲＦＩおよびＥＳＤからの望ましくない干渉を受ける可能性がある制御信号を搬送するワイヤは、干渉を遮蔽することができる専用の保護スリーブを使用することによって遮蔽され得る。一般に専用の遮蔽を備えた１つの周知のタイプのワイヤは、「同軸ケーブル」と呼ばれる。「同軸ケーブル」という名前は、ケーブルのさまざまな層が互いに同軸に延びているという事実に由来し、当該さまざまな層は、一般に、最も内側の中心導体と、中心導体を取囲む非導電性（誘電性）絶縁層と、もっぱら絶縁層を取囲む編組みワイヤからなるＥＭＩシールド層と、最も外側の保護シースとを含んでいる。同軸ケーブルは、信頼性のある電気回路を形成して電気的干渉を取除くことに概して効果的であるが、公知のケーブルは、固有の欠点を有している。
【０００５】
公知の同軸ケーブルのＥＭＩシールド層は、一般に、もっぱら銅、すずめっき銅、アルミニウム合金またはすずめっきアルミニウム合金の編組み裸線で構築されている。これはＥＭＩに対する効果的なバリアを提供するが、すずまたは銅の含有量が高い金属ワイヤであることを考えると高価である。また、ＥＭＩシールド層がもっぱら金属で構築されているので、剛性が比較的高く、そのため、曲がりくねった経路上および／またはコーナーの周りに同軸ケーブルを引き回す能力が脅かされる。さらにまた、ＥＭＩシールド層は、もっぱら金属でできているので、内側絶縁層および比較的厚い最も外側の保護シースを機械的に摩耗させやすい。したがって、同軸ケーブルの剛性および質量が増加し、それによってケーブルの柔軟性がさらに減少し、その剛比によりケーブルを引き回すためにより多くの量のスペースが必要になる。より多くの量のスペースが必要であることは、スペースが限られている場所では非常にコストがかかって法外に高くなる可能性があり、さらに、剛性の増大は、ケーブルがその柔軟性の限界を超えて曲げられた場合にケーブルに損傷を引起す可能性がある。上記の欠点に加えて、さらなる欠点は、純金属ＥＭＩ層を有すること、すなわち純金属ＥＭＩ層が衝撃を抑制できず、最終的にケーブルの機能に損傷を引起す可能性があることに起因する。さらに他の欠点は、純金属ＥＭＩ層を有すること、すなわち曲げられると純金属ＥＭＩ層が元の編組み構成に弾性的に戻る能力（一般に、弾性的に「跳ね返る」能力と呼ばれ、「押し返す」能力とも呼ばれる）が減少することに起因する。したがって、純金属ＥＭＩ層は、曲げられると、永久的な塑性変形を受けやすく、隣接する編組み金属ワイヤ間に望ましくない永久的な間隙を生じさせる可能性がある。隣接するワイヤ間の大きなサイズの意図せぬ間隙は、最終的にＥＭＩ層のＥＭＩ遮蔽効果を減少させる可能性があり、そのため、同軸ケーブルの機能が低下する可能性がある。
【０００６】
本発明に従って製造された同軸ケーブルは、少なくとも上記の先行技術のそれらの制約を解消するか、または非常に最小化し、特に全体質量を減少させて柔軟性を増大させるが、以下の本発明の開示を見ると当業者はさらなるメリットを認識するであろうと考えられる。
【課題を解決するための手段】
【０００７】
発明の概要
本発明の一局面は、細長い導電性中心部材と、導電性中心部材を取囲む誘電性絶縁層と、外側保護シースと、誘電性絶縁層と外側保護シースとの間にはさまれたハイブリッド糸を含む編組みＥＭＩシールド層とを含む同軸ケーブルを提供する。ハイブリッド糸は、細長い非導電性フィラメントと、細長い連続的な導電性ワイヤフィラメントとを含む。ワイヤフィラメントは、ＥＭＩ、ＲＦＩまたはＥＳＤのうちの少なくとも１つから導電性中心部材を保護するために、ＥＭＩシールド層の長さに沿ってワイヤフィラメント自体または他のワイヤフィラメントと電気的に通信するように織り合わせられる。
【０００８】
本発明の別の局面によれば、外側保護層の相対的厚みが減少され、それによって同軸ケーブルの全体質量の減少および柔軟性の増大を容易にする。
【０００９】
本発明の別の局面によれば、ＥＭＩシールド層のハイブリッド糸における非導電性フィラメントの含有量により編組みハイブリッド糸間の永久的な間隙の形成を回避するために、ＥＭＩシールド層の弾性押し返し特性が高められる。
【００１０】
本発明の別の局面によれば、ハイブリッド糸を含むＥＭＩシールド層が、個々の層の機能を犠牲にすることなく外側保護シースの相対的厚みを減少させることができる結果として、同軸ケーブルの直径が最小化される。
【００１１】
本発明の別の局面によれば、ハイブリッド糸の比較的柔らかい非導電性フィラメントの存在によって、同軸ケーブルの耐衝撃性が増大される。
【００１２】
本発明の別の局面は、同軸ケーブルを構築する方法を提供する。当該方法は、導電性中心部材を設けることと、導電性中心部材を取囲む誘電性絶縁層を形成することと、絶縁層の周りに、ハイブリッド糸を含むＥＭＩシールド層を編むことと、編組みＥＭＩシールド層の周りに外側保護シースを形成することとを含む。細長い非導電性フィラメントと細長い連続的な導電性ワイヤフィラメントとを有するハイブリッド糸が提供される。ワイヤフィラメントは、ＥＭＩ、ＲＦＩまたはＥＳＤのうちの少なくとも１つからのバリアを導電性中心部材に提供するために、ＥＭＩシールド層の長さに沿ってワイヤフィラメント自体または他のワイヤフィラメントと電気的に通信するように編まれる。
【００１３】
本発明の別の局面によれば、当該方法は、外側保護層の相対的厚みを減少させ、それによって同軸ケーブルの全体質量の減少および柔軟性の増大を容易にすることを含む。
【００１４】
本発明の別の局面によれば、当該方法は、編組みハイブリッド糸の隣接する導電性ワイヤフィラメント間の塑性変形した永久的な間隙の形成を回避するために、ハイブリッド糸の非導電性フィラメントの存在によってＥＭＩシールド層の弾性押し返し特性を増大させることを含む。
【００１５】
本発明の別の局面によれば、当該方法は、個々の層の耐久性および機能を犠牲にすることなく同軸ケーブルの直径を最小化することを含む。
【００１６】
本発明の別の局面によれば、同軸ケーブルの質量は、従来技術に対して減少される。
本発明の別の局面によれば、当該方法は、ハイブリッド糸の非導電性フィラメントの存在によって同軸ケーブルの耐衝撃性を増大させることを含む。
【００１７】
したがって、本発明に従って製造された同軸ケーブルは、とりわけ当業者によって認識されるであろう公知の同軸ケーブルに対する以下のメリットを少なくとも提供する。すなわち、本発明に従って製造された同軸ケーブルは、外側保護シースの厚みを最小化することができる結果として、外径が最小化される。本発明に従って製造された同軸ケーブルは、質量が減少し、相対的重量が減少する。本発明に従って製造された同軸ケーブルは、柔軟性が増大し、そのため最小の量のスペース内で引き回されることができる。本発明に従って製造された同軸ケーブルは、押し返しの増大を示し、それによって製造時の完全な遮蔽効果を維持する。本発明に従って製造された同軸ケーブルは、製造および使用時に費用対効果が高く、耐久性が増大し、それによって長い耐用寿命を示す。
【００１８】
これらのおよび他の特徴および利点は、以下の現状の好ましい実施例および最適な形態の詳細な説明、添付の特許請求の範囲および添付の図面に鑑みて、当業者に容易に明らかになるであろう。
【図面の簡単な説明】
【００１９】
【図１】本発明の１つの現状の好ましい実施例に従って構築された同軸ケーブルの斜視図である。
【図１Ａ】本発明の別の現状の好ましい実施例に従って構築されたケーブルの、図１と同様の図である。
【図１Ｂ】本発明のさらに別の現状の好ましい実施例に従って構築されたケーブルの、図１Ａと同様の図である。
【図２】概して図１の線２−２に沿った拡大断面図である。
【図３】図１の同軸ケーブルのＥＭＩシールド層を構築する際に使用可能なハイブリッド糸の拡大側面図である。
【図４】図１の同軸ケーブルのＥＭＩシールド層を構築する際に使用可能な別のハイブリッド糸の拡大側面図である。
【図５】図１の同軸ケーブルのＥＭＩシールド層を構築する際に使用可能なさらに別のハイブリッド糸の拡大側面図である。
【図６】図１の同軸ケーブルのＥＭＩシールド層を構築する際に使用可能なさらに別のハイブリッド糸の拡大側面図である。
【図７】図１の同軸ケーブルのＥＭＩシールド層を構築する際に使用可能なさらに別のハイブリッド糸の拡大側面図である。
【図８】図１の同軸ケーブルのＥＭＩシールド層を構築する際に使用可能なさらに別のハイブリッド糸の拡大側面図である。
【図９】図１の同軸ケーブルのＥＭＩシールド層を構築する際に使用可能なさらに別のハイブリッド糸の拡大側面図である。
【図１０】図１の同軸ケーブルのＥＭＩシールド層を構築する際に使用可能なさらに別のハイブリッド糸の拡大側面図である。
【図１１】図１の同軸ケーブルのＥＭＩシールド層を構築する際に使用可能なさらに別のハイブリッド糸の拡大側面図である。
【図１２】図１の同軸ケーブルのＥＭＩシールド層を構築する際に使用可能なさらに別のハイブリッド糸の拡大側面図である。
【発明を実施するための形態】
【００２０】
好ましい実施例の詳細な説明
より詳細に図面を参照して、図１は、本発明の一局面に従って構築された同軸ケーブル（以下、ケーブル１０と呼ばれる）を示す。ケーブル１０は、１本または複数本の導電性ワイヤとして設けられ得る導電性中心部材１２と、導電性中心部材１２を取囲む、厚みｔ１を有する非導電性絶縁層１４とを含んでいる。さらに、厚みｔ３を有するＥＭＩ保護シールド層（以下、シールド層１６と呼ばれる）が、絶縁層１４の周りに編まれている。シールド層１６は、少なくとも１本もしくは複数本の非導電性モノフィラメントもしくは部材および／または少なくとも１本もしくは複数本の非導電性マルチフィラメントもしくは部材（以下、単に非導電性部材２０と呼ばれる）からなるハイブリッド糸１８（図３〜図１２）で少なくとも部分的に編まれており、非導電性部材２０は、別段の定めがない限り、ミクロンサイズの導電性ワイヤフィラメントの少なくとも１本もしくは複数本の連続的な撚り線（以下、単にワイヤフィラメント２２と呼ばれる）に絡ませられる、および／または、撚り線とともに提供される。さらにまた、厚みｔ２を有する外側保護層（シース２４とも呼ばれる）が、シールド層１６の周りに形成されている。少なくとも部分的にハイブリッド糸１８から構築されるシールド層１６は、外側保護シース２４の厚みｔ２を減少させることができ、それによって、背景の欄に記載されたようにケーブル１０の柔軟性を向上させ、公知の同軸ケーブルに対して質量を減少させる相乗効果をもたらし、ケーブル１０の質量は、一例では、公知の４５ｍｍ２同軸ケーブルに対して、４５ｍｍ２ケーブル１０では約１３．４％だけ減少することが分かった。上記の層１４，１６，２４に加えて、一例としてアルミニウム箔などの箔からなるさらなる中間シールド層２６が、絶縁層１４とシールド層１６との間（図１Ａ）またはハイブリッド層１６とシース２４との間（図１Ｂ）に配設され得る。さらなる箔層２６は、約３００ＭＨｚと約１ＧＨｚとの間などの高周波数の効果的な遮蔽を容易にする。構築する際、箔層２６は、好ましくは、隣接する内側層の周りに螺旋状に巻き付けられる。さらに、ハイブリッド糸１８からなる非導電性部材２０は、押されて、曲げられて、まっすぐにされると、シールド層１６のばねのような弾性押し返しを向上させ、それによって、編組みシールド層１６のハイブリッド糸１８が「編組み構成」に近い構成を保持することを保証し、それによって、電磁干渉（ＥＭＩ）、無線周波数干渉（ＲＦＩ）および／または静電気放電（ＥＳＤ）のうちの少なくとも１つ以上からの最適な保護が設置および使用中に提供されて確実に維持されることを保証する。また、金属ワイヤと比較したハイブリッド糸１８の非導電性部材２０の相対的柔らかさは、ケーブル１０に損傷を引起すことなくケーブル１０が衝撃力に耐える能力を高め、最終的にケーブル１０の耐用寿命を延ばす。
【００２１】
シールド層１６の個々の連続的なワイヤフィラメント２２は、一例としておよび非限定的に、直径が約２０〜１００μｍである。誘電性絶縁層１４および導電性中心部材１２の周りにハイブリッド糸１８を編むと、導電性中心部材１２は、誘導結合干渉または自己誘導内部反射干渉などの望ましくない干渉からの最適な保護を受け、それによって、導電性中心部材１２に接続されるかまたはそうでなければ導電性中心部材１２から電気信号を受取るいかなる電気部品に対しても、減衰されていない望ましい動作信号が提供される。
【００２２】
非導電性部材２０は、１つの現状の好ましい実施例では、マルチフィラメントとも呼ばれるマルチフィラメント状の糸として設けられ、シールド層１６に対して柔らかい質感および衝撃抑制特性を提供する。用途によっては、非導電性部材２０は、マルチフィラメントであろうとモノフィラメントであろうと、以下により詳細に記載されるように、極めて高い温度定格が必要とされない場合には、一例としておよび非限定的に、ポリエステル、ナイロン、ポリプロピレン、ポリエチレン、アクリル、綿、レーヨン、および上記の全ての材料の難燃性（fire retardant：ＦＲ）バージョンから形成され得る。ＦＲ特性とともにより高い温度定格が望まれる場合には、非導電性部材２０は、一例としておよび非限定的に、ｍ−アラミド（例えばノーメックス、コーネックス、ケルメルという名前で販売）、ｐ−アラミド（例えばケブラー、トワロン、テクノーラという名前で販売）、ＰＥＩ（例えばウルテムという名前で販売）、ＰＰＳ、ＬＣＰ、ＴＰＦＥ、およびＰＥＥＫを含む材料から構築され得る。ＦＲ特性とともにさらに高い温度定格が望まれる場合には、非導電性部材２０は、例えばガラス繊維、玄武岩、シリカ、およびセラミックなどの鉱物糸を含み得る。とにかく、非導電性糸２０は、ワイヤフィラメント２２に対して比較的柔らかく、そのため、シールド層１６に穏やかな摩耗防止内側および外側面を提供し、最終的に絶縁層１４および外側保護シース２４に対する摩耗の可能性を減少させる。したがって、外側保護シース２４の壁を摩耗させて貫通することを恐れることなく、先行技術の同軸ケーブルの厚みに対して外側保護シース２４の厚みｔ２を減少させることができる。したがって、比較的柔軟性のある非導電性糸２０の存在によるシールド層１６の柔軟性の増大、および外側保護シース２４の厚みの減少により、先行技術の同軸ケーブルに対して、ケーブル１０の全体的柔軟性が増大し、ケーブル１０の総質量が減少する。さらに、非導電性部材２０の柔らかい柔軟な質感を考えると、ケーブル１０が衝撃力に耐える能力が先行技術の同軸ケーブルに対して増大し、それによって、ケーブル１０に対する損傷の見込みがさらに減少する。
【００２３】
記載されているように、連続的な導電性ワイヤフィラメント２２は、非導電性部材２０が概して直線的な経路に沿って延びる一方で導電性ワイヤフィラメント２２が非導電性部材２０の周りに螺旋状の経路に沿って延びるように、例えば図３に示されるように非導電性部材２０とともに提供され得るか、または、非導電性部材２０もワイヤフィラメント２２も互いの周りに螺旋状の経路上に延びるように、例えば図４に示されるように非導電性部材２０に絡ませられ得る。どのように構築されていようと、導電性ワイヤフィラメント２２の少なくとも一部が残っているか、または非導電性部材２０の外面の径方向外向きに延びていることが好ましい。これは、ワイヤフィラメント２２がその上にある隣接するワイヤフィラメント２２と導電接触することを確実にすることによって、少なくとも部分的にハイブリッド糸１８から構築されたケーブル１０の効果的なＥＭＩ、ＲＦＩおよび／またはＥＳＤ遮蔽特性を維持することを容易にする。導電性ワイヤフィラメント２２は、好ましくは、高い耐食特性を有する低炭素ステンレス鋼、例えばＳＳ３１６Ｌなどのステンレス鋼の連続的な撚り線として設けられる。しかし、例えば銅、すずまたはニッケルめっき銅、アルミニウム、および銅被覆アルミニウムまたはすずめっき銅などの他の導電性合金などの金属ワイヤの他の導電性の連続的な撚り線が使用されてもよい。
【００２４】
連続的な導電性ワイヤフィラメント２２は、ハイブリッド糸１８を形成するように非導電性部材２０の周りに絡ませられるかまたは提供されることによって、非導電性部材２０の上に被さり得て、ハイブリッド糸１８は、ハイブリッド糸１８の長さに沿って延びる導電性ワイヤフィラメント２２の単一の撚り線（図３、図４および図７）、導電性ワイヤフィラメント２２の２本の撚り線（図５、図８〜図１１）、導電性ワイヤフィラメント２２の３本の撚り線（図６および図１２）、またはそれ以上の撚り線として示される複数本の撚り線を所望のごとく有している。ハイブリッド糸１８の長さに沿った導電性ワイヤの数を増加させることにより、一般に、ハイブリッド糸１８の遮蔽の可能性が増大するということを念頭に置いて、所望の遮蔽に応じて任意の所望の数の導電性ワイヤフィラメント２２が使用されてもよいということが認識されるべきである。２本以上の導電性ワイヤフィラメント２２が使用される場合には、ワイヤフィラメント２２は、一例としておよび非限定的に、図５および図６に示されるように異なるねじれ角を有することによって、および／または、ワイヤフィラメント２２を反対の螺旋方向に絡ませるかまたは提供することなどによって、互いに重なり合うように配置されてもよい。または、ワイヤフィラメント２２は、例えば図８〜図１２に示されるように同様のねじれ角を有し、かつ、同一の螺旋方向に絡ませられるかまたは提供されることによって、互いに重なり合わない関係で構成されてもよい。
【００２５】
単一の導電性ワイヤ２２を有していようと、２本の導電性ワイヤ２２を有していようと、３本の導電性ワイヤ２２を有していようと、それ以上の導電性ワイヤ２２を有していようと、ハイブリッド糸１８を構築する際に使用されるワイヤフィラメント１６の配置およびそれらの具体的な構造は、所望の遮蔽の可能性を達成するように選択される。
【００２６】
図７に示されるように、本発明のさらに別の現状の好ましい局面によれば、ハイブリッド糸１８は、ここでは上記の材料のうちの１つから形成されたモノフィラメントとして示されている単一の非導電性フィラメント２０とともに単一の導電性ワイヤフィラメント２２を提供するか、または示されているように単一の非導電性フィラメント２０に単一の導電性ワイヤフィラメント２２を絡ませることによって構築される。
【００２７】
図８に示されるように、本発明のさらに別の現状の好ましい局面によれば、ハイブリッド糸１８は、ここでは非導電性モノフィラメント２０として示されている単一の非導電性フィラメントの周りに２本以上の導電性ワイヤフィラメント２２を提供することによって構築される。示されているように、この実施例におけるワイヤフィラメント２２は、互いが実質的に同一のらせん角を有する状態で同一の方向に提供され、そのため、互いに重なり合っていない。
【００２８】
図９に示されるように、本発明のさらに別の現状の好ましい局面によれば、ハイブリッド糸１８は、単一の非導電性フィラメント２０の周りに２本以上の導電性ワイヤフィラメント２２を提供することによって構築される。しかし、図８のようにモノフィラメントの周りにそれらを提供するのではなく、ワイヤフィラメント２２はマルチフィラメント２０の周りに提供される。
【００２９】
図１０に示されるように、本発明のさらに別の現状の好ましい局面によれば、ハイブリッド糸１８は、ここでは非導電性モノフィラメント２０として示されている単一の非導電性フィラメントの周りに２本以上の導電性ワイヤフィラメント２２を提供することによって、上記ならびに図８および図９に示されているのと概して同様に構築される。しかし、非導電性フィラメント２０の周りに導電性ワイヤフィラメント２２を提供する前に、非導電性モノフィラメント２０は、最初にコーティング材料ＣＭをその外面に塗布して接着させることによって処理されるか、または、外面は、テクスチャ付与プロセスにおいて設けられたテクスチャ付与面ＴＳを有している。コーティング材料ＣＭまたはテクスチャ付与面ＴＳは、下にある非導電性モノフィラメント２０に対して導電性ワイヤフィラメント２２がすべることを抑えるように作用する。
【００３０】
図１１に示されるように、本発明のさらに別の現状の好ましい局面によれば、ハイブリッド糸１８は、非導電性フィラメントの対２０，２０′の周りに２本以上の導電性ワイヤフィラメント２２を提供することによって構築される。非導電性フィラメント２０，２０′は、ここでは、上記の材料から設けられた非導電性マルチフィラメント２０および非導電性モノフィラメント２０′として表わされている。非導電性マルチフィラメント２０およびモノフィラメント２０′は、それらの長さに沿って互いに当接している。さらに、図１２に示されるように、本発明のさらに別の現状の好ましい局面に従って構築されたハイブリッド糸１８は、ここではマルチフィラメント非導電性部材２０として示されている非導電性部材のうちの少なくとも１つを有し、マルチフィラメント非導電性部材２０は、別の導電性ワイヤフィラメント２２′を周りに絡ませるかまたは提供される、図３に関連して上記したように示されるようなハイブリッド糸として設けられる。しかし、前に記載され示されたハイブリッド糸１８の他の実施例のうちのいずれかが使用されてもよい。したがって、連続的な導電性ワイヤフィラメント２２′のうちの少なくとも１本は、もっぱら非導電性マルチフィラメント２０の周りに延びるかまたは輪になっているが、他の連続的な導電性ワイヤフィラメント２２は、両方の非導電性フィラメント２０，２０′の周りに延びるかまたは輪になっている。
【００３１】
本発明の別の局面に従って、同軸ケーブル１０を構築する方法が提供される。当該方法は、導電性部材１２を設けることと、押出し成形プロセスまたは他のプロセスなどで当該導電性部材の周りに絶縁層１４を形成することとを含む。当該方法はさらに、絶縁層１４の周りにシールド層１６を編むことと、次いでシールド層１６の周りに外側保護シース２４を形成することとを含む。本発明によれば、編むプロセスはさらに、少なくとも１本の非導電性フィラメント２０に絡ませられるかまたは少なくとも１本の非導電性フィラメント２０とともに提供される少なくとも１本の導電性ワイヤフィラメント２２を含む上記のハイブリッド糸１８から少なくとも部分的にシールド層１６を編むことを含む。編組みシールド層１６は、もっぱらハイブリッド糸１８から編まれてもよく、またはハイブリッド糸１８と組み合わせて非ハイブリッド糸を含んでいてもよい、ということが認識されるべきである。編組みシールド層１６が１００％未満ハイブリッド糸１８で編まれる場合、上記のような任意の好適なモノフィラメントまたはマルチフィラメントが使用されてもよいということが認識されるべきである。さらに、シールド層１６を編むために１００％ハイブリッド糸１８を使用することによって最大遮蔽が達成されるということが認識されるべきである。
【００３２】
本発明の別の局面によれば、当該方法は、先行技術に従って構築された同軸ケーブルの耐衝撃性を向上させて、外側シースの厚みに対して外側シース２４の厚みを減少させ、それによって、先行技術に従って構築された同軸ケーブルに対して同軸ケーブル１０の柔軟性を増大させ、質量を減少させることを含む。
【００３３】
本発明の別の局面によれば、当該方法はさらに、約３００ＭＨｚと１ＧＨｚとの間などの高周波数から保護することをさらに容易にするために、絶縁層１４またはシールド層１６のうちの少なくとも１つの周りに箔層２６を巻き付けることを含み得る。
【００３４】
明らかに、上記の教示に鑑みて、本発明の多くの変形例および変更例が可能である。したがって、添付の特許請求の範囲の範囲内で、本発明は、具体的に記載されている態様とは異なった態様で実施されてもよいということが理解されるべきである。
【図１】
2016503945.tif 000003
【図１Ａ】
2016503945.tif 000004
【図１Ｂ】
2016503945.tif 000005
【図２】
2016503945.tif 000006
【図３】
2016503945.tif 000007
【図４】
2016503945.tif 000008
【図５】
2016503945.tif 000009
【図６】
2016503945.tif 000010
【図７】
2016503945.tif 000011
【図８】
2016503945.tif 000012
【図９】
2016503945.tif 000013
【図１０】
2016503945.tif 000014
【図１１】
2016503945.tif 000015
【図１２】
2016503945.tif 000016
【国際調査報告】
2016503945.tif 000017
2016503945.tif 000018